(57)【要約】【課題】配布性の高い光ディスクメディアを携帯端末上で再生して表示できる情報再生装置を提供することを目的とする。【解決手段】光ディスクが挿入される挿入口と、挿入口を開閉する昇降部と、前記昇降部に保持され光ディスクから少なくとも情報を再生する再生部と、再生部から出力された光信号を電気信号に変換する電子基板と、他の装置との電気的接合を行うコネクタ部１０１とを備えている。昇降部と本体を引き離す方向に付勢力を加える弾性部材を備えるとともに、本体と昇降部を係止する係止部材と、本体と昇降部との間の移動距離を規制する規制部材とを有し、係止部材によって本体部と昇降部が係止されている状態では、挿入口は閉じられており、係止部材の係止が解除されると、昇降部は弾性部材によって本体から離れていくとともに挿入口が開放される構成としている。【選択図】図１
2006018889.tif 000002
【特許請求の範囲】
【請求項１】
光ディスクが挿入される挿入口と、前記挿入口を開閉する昇降部と、前記昇降部に保持され光ディスクから少なくとも情報を再生する再生部と、前記再生部から出力された光信号を電気信号に変換する電子基板と、他の装置との電気的接合を行うコネクタ部とを備えたことを特徴とする情報再生装置。
【発明の詳細な説明】
【技術分野】
【０００１】
本発明は、携帯情報機器、携帯電話、携帯ゲーム機などに代表される携帯端末機器に接続可能であって、少なくとも情報の再生が行える情報再生装置に関するものである。
【背景技術】
【０００２】
デジタル技術の発達に伴い、取り扱うデータが急増している。このため、様々な用途に合わせたデータ記録再生メディアが開発されている。コンピュータなどに使用される記録再生メディアとしては、ハードディスク、光ディスク、半導体メモリなどが挙げられる。
【０００３】
前記の記録再生メディアを使用するパソコンなどの機器を室内だけではなく、屋外に持ち出して使用したいという要求がある。例えば、ラップトップコンピュータなどの携帯型パソコン、ＰＤＡに代表される携帯機器、携帯電話、携帯ゲーム機器、デジタルカメラなどを挙げることができる。このとき、データ記録メディアに装備されたデータ記録装置の記録容量が少ない場合、一般に半導体メモリが使用される。半導体メモリは消費電力が少なく、機構部がないために故障に強く、データ転送速度は非常に高速であるというメリットがある。しかし、記憶容量当たりのコストが高いために、大容量の記録メディアには不向きである。
【０００４】
データ記録装置として、一般に使用頻度の高いＨＤＤ装置は半導体メモリほどではないが転送速度も高く、記録容量当たりのコストが安価であるために、大容量記録メディアとして適しているが、これもメディアの配布性はなく映像等データをダウンロードして使うしかない。
【０００５】
前記のメディアの中で、光ディスクを使用した記録再生メディアは光ディスクの交換による容量当たりのコストの優位性、搬用性および再生専用としたときに、ディスク製造の容易性に優れている。
【０００６】
この観点からなされた再生装置に関する技術が、例えば、（特許文献１）に記載されている。
【特許文献１】特開平１０−９７７８１号公報
【発明の開示】
【発明が解決しようとする課題】
【０００７】
上述のように携帯端末のメモリとしては、小型のハードディスクや半導体メモリが存在するが、映像を見る場合パソコンや他の映像プレーヤからデータを転送して携帯端末上の表示部で見るしか手段がない。
【０００８】
本発明は、上記の課題を解決するためになされたもので、配布性の高い光ディスクメディアを携帯端末上で再生して表示できる情報再生装置を提供することを目的とする。
【課題を解決するための手段】
【０００９】
本発明は、上記の課題を解決するためになされたもので、光ディスクが挿入される挿入口と、前記挿入口を開閉する昇降部と、前記昇降部に保持され光ディスクから少なくとも情報を再生する再生部と、前記再生部から出力された光信号を電気信号に変換する電子基板と、他の装置との電気的接合を行うコネクタ部とを備えたことを特徴とする情報再生装置である。
【発明の効果】
【００１０】
本発明によると、携帯端末の表示部で配布コンテンツメディア情報を容易に見ることができるため、パソコンや他の映像プレーヤからデータを転送する必要がなく、小型化が可能で操作が簡便な情報再生装置を実現することができる。また、配布されるメディアを直接再生することができるため、著作権保護に有効である。
【発明を実施するための最良の形態】
【００１１】
第１の発明は、光ディスクが挿入される挿入口と、前記挿入口を開閉する昇降部と、前記昇降部に保持され光ディスクから少なくとも情報を再生する再生部と、前記再生部から出力された光信号を電気信号に変換する電子基板と、他の装置との電気的接合を行うコネクタ部とを備えたことを特徴とする情報再生装置である。
【００１２】
再生部は、光ディスクに記録された情報を読み取るための光源及び光学部品からなる光学系と、光ディスクを回転させるためのモータ、前記光学系を光ディスクの半径方向に移動するための駆動部を有している。また、コネクタ部によって携帯端末に接続することができ、半導体メモリと同様の接続部として機能する。
【００１３】
本発明の上記の構成により、光ディスク再生部と携帯端末等の装置との間で信号のやりとりを行うことにより、携帯端末の表示部で配布コンテンツメディア情報を容易に見ることができるため、パソコンや他の映像プレーヤからデータを転送する必要がなく、小型化が可能で操作が簡便な情報再生装置を実現することができる。
【００１４】
また、コネクタ部を半導体メモリとサイズおよび信号を合わせることによって、携帯端末との接続性に優れており、また他の装置などに接続したままで昇降部の昇降によって挿入口の開閉を行えるので、情報再生装置を他の装置などに挿入したまま光ディスクを交換することができ、操作性が向上する。
【００１５】
（実施の形態１）
以下、本発明の実施の形態について、図を用いて説明する。
【００１６】
図１に示すように本実施の形態における情報再生装置は、光ディスクの記録再生機器部材（光ディスクに対して情報の記録か再生の少なくとも一方を行う）を有する記録再生機構部１００、半導体メモリ形状に対応するコネクタ部１０１に大きく分けることができる。
【００１７】
まず、記録再生機構部１００について図２を用いて説明する。図２に示すように、１、２はそれぞれ記録再生機構部１００を覆うカバーであり、カバー２は側壁部を構成しており、カバー１は上面部を構成している。すなわち、カバー１、２で記録再生機構部１００をカバーしている。カバー１、２は同一材料でも良いが、互いに異なる材料にしても良く、最良の実施の形態としては、カバー２は樹脂材料で構成され、カバー１を金属材料で構成することで、記録再生機構部１００の放熱性の向上、電子ノイズの漏洩防止等の効果を得ることができる。当然のことながら、カバー１、２の材料の選択は、熱問題やノイズ問題、或いは機械的強度の問題を解決すべく適宜選択可能である。
【００１８】
３は記録再生機構部１００を垂直方向へ上昇させる金属などの材料を用いた垂直方向ガイド部材である。
【００１９】
記録再生機構部１００から、カバー１、２を取り外した状態を図３に示す。図３において、１０は記録再生機構部１００内に設けられた記録再生機構部内回路基板、１１は光ディスクから読み取られた信号を送受信する光ピック信号用ＦＰＣ（Ｆｌｅｘｉｂｌｅ  Ｐ
ｒｉｎｔｅｄ  Ｃｉｒｃｕｉｔ）、１２はＳＤ規格機構部内の回路基板と信号を送受信する基板間ＦＰＣ、１３は記録再生機構部回路基板１０上に取り付けられ、記録再生機構部１００の上下方向の動作により、オン、オフされる電子スイッチである。
【００２０】
図３の記録再生機構部１００から、記録再生機構部内回路基板１０を取り外した状態を図４に示す。２０は記録再生機構部１のベースとなる記録再生機構本体部、２１は光ディスクの記録再生を行う光ピックアップモジュール、２２は光ディスクを回転させるための動力源となるスピンドルモータ、２３は光ピックアップモジュール２１を光ディスクの内周、外周位置に移動させるためにねじを切られたリードスクリューシャフト、２４はリードスクリューシャフト２３より光ピックアップモジュール２１に動力を伝達させると同時に、光ピックアップモジュール２１に組み込まれたＦＰＣを保持するラック板バネ、２５はリードスクリューシャフト２３に固定されたリードスクリューシャフト歯車、２６はリードスクリューシャフト２３を任意の方向に押圧するリードスクリューシャフト押圧ばね、２７は両側に歯車を備え、中心部にスリットを設けた円形状の遮蔽板を持つ中間歯車、２８はリードスクリューシャフト２３を回転させる動力源となるフィードモータ、２９はフィードモータ２８の回転軸に取り付けられたモータ歯車、３０はモータを保持するモータ固定部材、３１はモータの回転数を計測するために、中間歯車の回転数を計測するフォトインターラプター、３２は光ディスクが組み込まれた光ディスクカートリッジを本発明の光ディスクドライブに着脱する際に、記録再生機構部上下動作を検知する記録再生機構部上下動作感知レバー、３３は光ピックアップモジュール２１の光ディスクの内周、外周位置への動作を規制、誘導するガイドシャフト、３４はガイドシャフト３３を記録再生機構本体部２０に固定するガイドシャフト固定部材、３５は記録再生機構本体部２０の上下動を規制し両側に取り付けられた金属製の側面ガイド部材、３６は記録再生機構本体部２０を係留する爪形状を有し両側に備え付けられた側面係留部材、３７は側面係留部材３６に対して、任意の方向に付勢力を付与する側面係留付勢力ばね、３８は光ディスクが組み込まれた光ディスクカートリッジを本発明の光ディスクドライブに着脱する際に、記録再生機構本体部２０を持ち上げる捻りばねで形成された記録再生機構本体部持ち上げばね、３９は側面係留部材３６に固定されたスライドボタンである。
【００２１】
図５は、半導体メモリ形状に対応するコネクタ部１０１について上面から見た斜視図である。５０は半導体メモリ形状のコネクタ部であり、光ディスクの信号を半導体メモリのインターフェイスに変換する機能を有した基板５２を上面から樹脂５１で覆い、本体部はこの樹脂５１の上から板金で補強する。
【００２２】
図６は、コネクタ部５０を下面から見た斜視図である。基板５２はその先端部に接続用接点５３を有している。この基板５２は上面側からの樹脂５１と下面側からの樹脂５４とで挟み込まれ、さらに樹脂５４の下面側は板金５５で覆われている。
【００２３】
実施の形態の一つとしてＳＤ対応コネクタの場合、コネクタ部５０のサイズは２４ｍｍ×３２ｍｍ×２．１ｍｍであり、前述したように、コネクタ部５０は樹脂で挟み込まれ、その樹脂部は本体との接合部の強度を保つために薄い金属で挟まれている。
【００２４】
基板５２上面の構成を図１０に示す。図１０において、５６は基板５２のインターフェイス規格とコネクタ部５０のインターフェイス規格との接続を調整するための半導体チップである。本発明の実施の形態では、半導体チップ５６は基板５２のインターフェイス規格とコネクタ部５０のＳＤ規格との接続を調整できる構成となっている。また、他の実施の形態では規格に応じて半導体チップ５６の構成を変更することで、コネクタ部５０のコネクタ形状をＵＳＢ規格、ＩＥＥＥ１３９４規格、パラレル規格、シリアル規格等に変更しても基板５２との接続が可能となる。
【００２５】
図７は光ディスクカートリッジ６１の内部構造を示す図である。６４は光ディスク６０に固定された金属リング、６５はカートリッジシャッター６２を係留するシャッター係留部材である。
【００２６】
次に、本発明の情報再生装置（光ディスクドライブ装置）の操作法、動作について説明する。
【００２７】
まず、光ディスク６０を収納する光ディスクカートリッジ６１をベース部に挿入する場合、図８に示すように、側面係留付勢力ばね３７により、側面係留部材３６が移動する逆方向に付勢力を与えられ、側面係留部材３６に固定されたスライドボタン３９をコネクタ部５０の方向へ移動させる。
【００２８】
このとき、スライドボタン３９をコネクタ部５０の方向（Ａ方向）へ移動させることにより、本発明の情報再生装置（光ディスクドライブ装置）がＰＤＡなどの携帯機器に接続された状態で、スライドボタン３９の操作により、ＳＤ規格のコネクタ部５０が携帯機器から脱落することを防止することができる。
【００２９】
スライドボタン３９がコネクタ部５０の方向（Ａ方向）へ移動すると、記録再生機構本体部２０の両側面部に設けられたＭ部の凸形状部からはずれ、記録再生機構本体部２０の左右２個、計４個取り付けられた記録再生機構本体部持ち上げばね３８がそれぞれＢ方向、Ｃ方向に開き、記録再生機構本体部２０をＤ方向に持ち上げる。このとき、本発明では記録再生機構本体部持ち上げばね３８は、捻りばねとなっているが、圧縮ばねとしてもよい。
【００３０】
このとき、記録再生機構本体部２０は、記録再生機構本体部２０の両側面Ｎ部に設けられたボス形状が側面ガイド部材３５に設けられた溝部に規制されることにより、図４に示すように記録再生機構本体部２０の上昇位置も規制される。このとき、前記側面ガイド部材３５に設けられた溝部を移動する記録再生機構本体部２０の側面に設けられたボス形状Ｎ部の下部を、記録再生機構本体部持ち上げばね３８の力点となるようにすることにより、記録再生機構本体部２０を垂直方向へ効率的かつ、円滑に持ち上げることができる。
【００３１】
そして、記録再生機構本体部２０が垂直方向に上昇することにより、図９に示すようにコネクタ部１０１の前面部に光ディスクカートリッジ挿入口１０２が現れる。本発明の光ディスクドライブの操作者は、光ディスクカートリッジ６１を光ディスクカートリッジ挿入口１０２に挿入すると、挿入された光ディスクカートリッジ６１はカートリッジトレイに従って光ディスクドライブ内に挿入される。その後Ｅ方向に手で押し下げることにより光ディスクはチャッキングされ、ディスク情報が読み出される。
【産業上の利用可能性】
【００３２】
本発明は、携帯情報機器、携帯電話、携帯ゲーム機などに代表される携帯端末機器に接続可能であって、少なくとも情報の再生が行える情報再生装置などに適応可能である。
【図面の簡単な説明】
【００３３】
【図１】本発明の一実施の形態における情報再生装置を示す斜視図
【図２】本発明の一実施の形態における情報再生装置の部分拡大図
【図３】本発明の一実施の形態における情報再生装置において、記録再生機構部からカバーを取り外した状態を示す図
【図４】本発明の一実施の形態における情報再生装置において、記録再生機構部から記録再生機構部内回路基板を取り外した状態を示す図
【図５】本発明の一実施の形態における情報再生装置において、コネクタ部上面を示す斜視図
【図６】本発明の一実施の形態における情報再生装置において、コネクタ部下面を示す斜視図
【図７】本発明の一実施の形態における光ディスクカートリッジを示す図
【図８】本発明の一実施の形態における情報再生装置の動作を示す図
【図９】本発明の一実施の形態における情報再生装置の動作を示す図
【図１０】本発明の一実施の形態における情報再生装置において、基板構成を示す図
【符号の説明】
【００３４】
１、２    カバー
３    垂直方向ガイド部材
１０    記録再生機構部内回路基板
１１    光ピック信号用ＦＰＣ
１２    基板間ＦＰＣ
１３    電子スイッチ
２０    記録再生機構本体部
２１    光ピックアップモジュール
２２    スピンドルモータ
２３    リードスクリューシャフト
２４    ラック板バネ
２５    リードスクリューシャフト歯車
２６    リードスクリューシャフト押圧ばね
２７    中間歯車
２８    フィードモータ
２９    モータ歯車
３０    モータ固定部材
３１    フォトインターラプター
３２    記録再生機構部上下動作感知レバー
３３    ガイドシャフト
３４    ガイドシャフト固定部材
３５    側面ガイド部材
３６    側面係留部材
３７    側面係留付勢力ばね
３８    記録再生機構本体部持ち上げばね
３９    スライドボタン
５０    コネクタ部
５１    樹脂
５２    基板
５３    接続用接点
５４    樹脂
５５    板金
５６    半導体チップ
６０    光ディスク
６１    光ディスクカートリッジ
６２    カートリッジシャッター
６４    金属リング
６５    シャッター係留部材
１００    記録再生機構部
１０１    コネクタ部
１０２    光ディスクカートリッジ挿入口
【図１】
2006018889.tif 000003
【図２】
2006018889.tif 000004
【図３】
2006018889.tif 000005
【図４】
2006018889.tif 000006
【図５】
2006018889.tif 000007
【図６】
2006018889.tif 000008
【図７】
2006018889.tif 000009
【図８】
2006018889.tif 000010
【図９】
2006018889.tif 000011
【図１０】
2006018889.tif 000012